(57)【特許請求の範囲】
【請求項１】
外部機器から無線通信により遠隔操作される電子機器であって、
前記外部機器から前記無線通信により操作信号を受信することにより特定の動作状態となった後、前記無線通信の状態が、無線通信を継続している状態から切断された状態へ変化したか否かを確認する確認手段と、
前記確認手段により無線通信が継続している状態から切断された状態への変化が確認される以前に通信環境が安定していたか否かを判断する第１の判断手段と、
前記第１の判断手段により前記通信環境が安定していたと判断されると前記特定の動作状態を終了させる一方、前記通信環境が安定していなかったと判断されると前記特定の動作状態を一定時間が経過するまで継続させるよう制御する制御手段と、
を備えることを特徴とする電子機器。
【請求項２】
前記一定時間が経過する前に前記確認手段が確認する以前の状態に前記無線通信の状態が戻ったか否かを判断する第２の判断手段を更に備え、
前記第２の判断手段により前記確認手段が確認する以前の状態に前記無線通信の状態が戻ったと判断されると、前記制御手段は前記特定の動作状態を継続するよう制御することを特徴とする請求項１記載の電子機器。
【請求項３】
前記確認手段は、更に、前記無線通信の状態が、前記切断された状態から前記無線通信を継続している状態へ変化したか否かを確認し、
前記制御手段は、前記一定時間が経過する以前に前記切断された状態から前記無線通信を継続している状態へ変化したことが確認されなかった場合、前記一定時間が経過した時点で当該電子機器の動作状態を特定の動作状態とは異なる他の状態に変更することを特徴とする請求項１又は２に記載の電子機器。
【請求項４】
当該電子機器を直接操作するための操作手段を更に備え、
前記制御手段は、前記確認手段により無線通信が継続している状態から切断された状態への変化が確認された後、前記操作手段による当該電子機器の操作を無効とすることを特徴とする請求項１乃至３の何れかに記載の電子機器。
【請求項５】
撮像手段を更に備え、
当該電子機器における前記特定の動作状態は、前記撮像手段を用いた自律による１又は複数回の撮影を行う自動撮影を行っている状態であることを特徴とする請求項１乃至４の何れかに記載の電子機器。
【請求項６】
前記自動撮影は一定の時間間隔で撮影を行うインターバル撮影であることを特徴とする請求項５記載の電子機器。
【請求項７】
外部機器から無線通信により遠隔操作される電子機器の動作制御方法であって、
前記外部機器から前記無線通信により操作信号を受信することにより特定の動作状態となった後、前記無線通信の状態が、無線通信を継続している状態から切断された状態へ変化したか否かを確認する確認処理と、
前記確認処理により無線通信が継続している状態から切断された状態への変化が確認される以前に通信環境が安定していたか否かを判断する判断処理と、
前記判断処理にて前記通信環境が安定していたと判断されると前記特定の動作状態を終了させる一方、前記通信環境が安定していなかったと判断されると前記特定の動作状態を一定時間が経過するまで継続させるよう制御する制御処理と、
を含むことを特徴とする動作制御方法。
【請求項８】
外部機器から無線通信により遠隔操作される電子機器が有するコンピュータに、
前記外部機器から前記無線通信により操作信号を受信することにより特定の動作状態となった後、前記無線通信の状態が、無線通信を継続している状態から切断された状態へ変化したか否かを確認する確認機能、
前記確認機能により無線通信が継続している状態から切断された状態への変化が確認される以前に通信環境が安定していたか否かを判断する判断機能、
前記判断機能により前記通信環境が安定していたと判断されると前記特定の動作状態を終了させる一方、前記通信環境が安定していなかったと判断されると前記特定の動作状態を一定時間が経過するまで継続させるよう制御する制御機能、
を実現させることを特徴とするプログラム。
【発明の詳細な説明】
【技術分野】
【０００１】
本発明は、無線による遠隔操作が可能な電子機器、動作制御方法、及びプログラムに関するものである。
【背景技術】
【０００２】
従来、カメラ装置において自動撮影を行うための技術が多数存在しており、例えば下記特許文献１には、撮影待機状態で取得しているスルー画像から人物（顔）が検出できたら、それをトリガとして撮影を自動的に開始する技術が記載されている。係る技術を用いることによりユーザーはシャッター操作を行うことなく意図した撮影を行うことができる。
【０００３】
また、近年においては、互いに離れた電子機器同士を近距離無線で接続する技術が一般に普及しており、係る技術をカメラ装置に用いれば、ユーザーが離れた場所からでも任意のタイミングで遠隔操作等により撮影を開始したり終了したりすることができる。
【先行技術文献】
【特許文献】
【０００４】
【特許文献１】特開平２０１２−１５６８２２号公報
【発明の概要】
【発明が解決しようとする課題】
【０００５】
ところで、上記のように無線によって遠隔操作し連続的な撮影を実行させる場合、撮影動作中に通信環境が悪化し、通信不能に陥っていると撮影に係る制御ができない。したがってこの間はユーザーの意図を受け付けずカメラ装置は撮影を継続するので、電源や撮影した画像を記憶するメモリが無駄に消費されることとなる。
【０００６】
係ることから、連続的な撮影の指示検出後に通信が切断されたときには、それをトリガとしてこの撮影動作を自動的に終了することが考えられる。しかしその場合、通信の切断がユーザーの意図によらない外部環境が原因であるときには、ユーザーの意図に関係なく自動撮影が終了してしまうという問題がある。
【０００７】
本発明は、かかる従来の課題に鑑みてなされたものであり、無線による遠隔操作で特定の動作を開始した後、通信環境が変化した場合であっても適切な動作を行うことができる電子機器、動作制御方法、及びプログラムを提供することを目的とする。
【課題を解決するための手段】
【０００８】
前記課題を解決するため、本発明にあっては、外部機器から無線通信により遠隔操作される電子機器であって、前記外部機器から前記無線通信により操作信号を受信することにより特定の動作状態となった後、前記無線通信の状態が、無線通信を継続している状態から切断された状態へ変化したか否かを確認する確認手段と、前記確認手段により無線通信が継続している状態から切断された状態への変化が確認される以前に通信環境が安定していたか否かを判断する第１の判断手段と、前記第１の判断手段により前記通信環境が安定していたと判断されると前記特定の動作状態を終了させる一方、前記通信環境が安定してなかったと判断されると前記特定の動作状態を一定時間が経過するまで継続させるよう制御する制御手段と、を備えることを特徴としている。
【発明の効果】
【０００９】
本発明によれば、無線による遠隔操作で特定の動作を開始した後、通信環境が変化した場合であっても適切な動作を行うことが可能となる。
【図面の簡単な説明】
【００１０】
【図１】本発明の第１の実施形態におけるカメラ装置を示すブロック図である。
【図２】インターバル撮影における撮像装置の動作を示すフローチャートである。
【図３】インターバル撮影における撮像装置の動作を示す説明図である。
【図４】本発明の第２の実施形態おける撮像装置の動作の要部を示すフローチャートである。
【発明を実施するための形態】
【００１１】
以下、本発明の実施形態について説明する。
（実施形態１）
図１は、本発明の第１の実施形態として例示するカメラ装置の電気的構成を示すブロック図である。本実施形態のカメラ装置は、双方間において無線通信による操作信号や画像データの授受が可能な撮像装置１と操作装置２とからなり、操作装置２によって撮像装置１が遠隔操作可能な構成である。
【００１２】
撮像装置１は、本発明の電子機器としての機能を備えたものであって、制御部１１と、撮像部１２、記憶部１３、無線通信部１４、操作部１５、電源部１６の各部を有している。
【００１３】
制御部１１は、図示しないＣＰＵ（Central Processing Unit）、及びその周辺回路等や、プログラムが格納されたＲＯＭ（Read Only Memory）、作業用のＲＡＭ（Random Access memory）を含むとともに、電波強度検出部１７を有している。そして、制御部１１は、おり、ＲＯＭに記憶されているプログラムに従い撮像装置１の各部を制御するとともに、後述する各種の処理を実行する。
【００１４】
撮像部１２は、図示しない撮影レンズを介して被写体を撮像するＣＣＤ（Charge Coupled Device）やＣＭＯＳ（Complementary Meta1 0xide Semiconductor）等の撮像素子、及びその駆動回路、ＡＦＥ（Analog Front End）等から構成され、撮像素子から出力される撮像信号を増幅しデジタル信号への変換した後、制御部１１へ供給する。
【００１５】
制御部１１は、撮像部１２から供給されたデジタルの撮像信号に複数段の信号処理を施すことによって被写体を表す画像データを生成したり、その画像データをＪＰＥＧ（Joint Photographic Expert Group）方式等により記録用の画像データとして圧縮し、圧縮後の画像データを記憶部１３に記憶させたりする。
【００１６】
記憶部１３は、フラッシュメモリ等の内蔵の半導体メモリであり、制御部１１において圧縮された画像データ、つまり撮影画像のデータを記憶する。
【００１７】
無線通信部１４は、操作装置２との間でＢｌｕｅｔｏｏｔｈ（登録商標）による近距離無線通信を行うための通信回路等により構成され、操作装置２から送信される操作信号を受信する。無線通信部１４は、制御部１１において生成された画像データや、記憶部１３から読み出された画像データを操作装置２に送信する。無線通信部１４が操作装置２と無線通信を行っている間には、制御部１１の電波強度検出部１７により通信電波の受信強度が逐次検出される。
【００１８】
操作部１５は、電源スイッチや、ユーザーが操作装置２との間の通信準備や、撮像装置１の動作モードの設定に使用する複数の操作スイッチとから構成される。
【００１９】
電源部１６は、電源電池（例えばニッケル水素電池等の充電池）、及びＤＣ／ＤＣコンバータ等で構成され、上記の各部に対して各々が必要とする電力を供給する。
【００２０】
一方、操作装置２は、制御部２１と、表示部２２、無線通信部２４、操作部２５、電源部２６を有している。
【００２１】
無線通信部２４は、撮像装置１との間でＢｌｕｅｔｏｏｔｈ（登録商標）による近距離無線通信を行う通信回路により構成され、撮像装置１からスルー画像のデータや、記録済みの撮影画像のデータを受信する。
【００２２】
制御部２１は、ＣＰＵ（Central Processing Unit）、及びその周辺回路等や、プログラムが格納されたＲＯＭ（Read Only Memory）、作業用のＲＡＭ（Random Access memory）を含み、ＲＯＭに記憶されているプログラムに従い操作装置２の各部を制御する。
【００２３】
表示部２２は、液晶モニターと、その駆動回路とから構成され、無線通信部２４を介して撮像装置１から受信画像データに基づくスルー画像や撮影画像を表示したり、撮像装置１との間の通信準備や、撮像装置１の遠隔操作に必要な各種情報を表示したりする。
【００２４】
操作部２５は、電源スイッチや、ユーザーが操作装置２との間の通信準備や、撮像装置１の動作モードの設定に際して使用する複数の操作スイッチから構成される。
【００２５】
電源部２６は、電源電池（例えばニッケル水素電池等の充電池）、及びＤＣ／ＤＣコンバータ等で構成され、上記の各部に対して各々が必要とする電力を供給する。
【００２６】
以上の構成からなるカメラ装置においては、撮像装置１と操作装置２とがＢｌｕｅｔｏｏｔｈ（登録商標）におけるペアリング（相互に登録）された状態において各々が以下のように動作する。すなわち撮像装置１においては、制御部１１が、撮影待機状態で撮像部１２を駆動させている間に生成した撮像画像のデータを無線通信部１４を介して操作装置２へ送信する。また、制御部１１が、無線通信部１４によって受信した操作信号、つまり操作装置２から無線で送られるユーザーからの操作に応じて撮像装置１の動作を制御する。
【００２７】
また、操作装置２においては、制御部２１が操作部２５の操作スイッチの操作状態を逐次確認し、操作スイッチによるユーザーからの指示内容を無線通信部２４を介して撮像装置１へ送信したり、無線通信部２４を介して撮像装置１から受信した画像データに基づく画像を表示部２２に表示させたりする。
【００２８】
また、撮像装置１には、撮影モードとして、一定時間毎の自動撮影を行うインターバル撮影を行う撮影モードが設けられており、例えば任意の場所からユーザーが操作装置２を操作して撮像装置１にインターバル撮影を開始させた後には、撮像装置１において制御部１１が以下の処理を実行する。
【００２９】
図２は、撮像装置１においてインターバル撮影が行われている間、制御部１１が前記ＲＯＭに記憶されているプログラムに従い実行する処理の内容を示したフローチャートである。
【００３０】
インターバル撮影を行っている間、制御部１１は、操作装置２からの撮影終了指示の受信の有無を逐次確認する（ステップＳＡ１）。そして、制御部１１は、撮影終了指示を受信すると（ステップＳＡ１：ＹＥＳ）、その時点で撮影動作（一定時間毎の撮影動作）、つまりインターバル撮影を終了し（ステップＳＡ２）、電源をオフにして（ステップＳＡ３）、全ての処理を終了する。
【００３１】
また、制御部１１は、撮影終了指示を受信しない場合は、これを受信するまでの間、電波強度検出部１７によって電波強度、すなわち無線通信部１４における通信電波の受信強度を随時確認し（ステップＳＡ４）、そのデータを作業用のＲＡＭ内に記憶する（ステップＳＡ５）。なお、制御部１１が記憶する受信強度のデータは直前における予め決められている所定時間分のデータであり、例えば直前３分間の受信強度である。
【００３２】
また、制御部１１は、撮影終了指示を受信するまで間、操作装置２との間の通信が切断されたか否か、つまり通信状態が通信可能状態から通信不能状態に変化したか否かを随時確認する（ステップＳＡ６）。つまり、制御部１１は、操作装置２と通信不能となったか否かを確認する。
【００３３】
そして、制御部１１は、上記通信状態の変化が確認できなければ、つまり通信が切断されなければ（ステップＳＡ６：ＮＯ）、ステップＳＡ１の処理に戻り前述した処理を繰り返す。
【００３４】
一方、その間に操作装置２との間の通信が切断された場合（ステップＳＡ６：ＹＥＳ）、制御部１１は、その時点で操作検出を一旦中止して、操作部１５による撮像装置１の直接の操作（本体操作）を無効とする（ステップＳＡ７）。
【００３５】
引き続き、制御部１１は、それまで記憶していた直前における所定時間分の電波強度に基づき、直前の所定時間内において電波強度が安定していたか否か、つまり通信環境が安定していたか否かを判断する（ステップＳＡ８）。
【００３６】
係る処理に際して制御部１１は、直前の所定時間分の電波強度の変動幅を確認し、それが予め決められている閾値未満であれば、電波強度（通信環境）が安定していたと判断し、逆に閾値以上であれば、電波強度（通信環境）が安定していなかったと判断する。
【００３７】
ここで、直前の所定時間内において電波強度が安定していたと判断した場合（ステップＳＡ８：ＹＥＳ）、制御部１１は、その時点で撮影動作（一定時間毎の撮影動作）を自動的に停止する（ステップＳＡ２）。しかる後、制御部１１は電源をオフにして（ステップＳＡ３）、全ての処理を終了する。つまりインターバル撮影を自動的に終了する。
【００３８】
一方、上記とは逆に、直前の所定時間内において電波強度が安定していなかったと判断した場合（ステップＳＡ８：ＮＯ）、制御部１１はタイマーをスタートさせる（ステップＳＡ９）。すなわち制御部１１は、自己が有する時計機能を使用して、操作装置２との間の通信が切断されてからの経過時間の計測を開始する。
【００３９】
引き続き、制御部１１は、上記経過時間が予め決められている撮影継続時間となるまでは（ステップＳＡ１０：ＮＯ）、操作装置２との間の通信が復帰したか否かを逐次確認する（ステップＳＡ１１）。
【００４０】
ここで、上記の撮影継続時間は、インターバル撮影における撮影動作間隔よりも長い時間であり、例えばインターバル撮影における撮影動作間隔が１５秒である場合には１分程度である。また、この撮影継続時間は、通信環境が何らかの要因によって一時的に悪化した後、それが良好な状態に復帰するまでに要する一般的な時間を考慮して予め決められる時間である。
【００４１】
その後、制御部１１は、操作装置２との間の通信が復帰することなく（ステップＳＡ１１：ＮＯ）、上記の経過時間が待ち時間に達した場合においては（ステップＳＡ１０：ＹＥＳ）、その時点でインターバル撮影を自動的に終了し（ステップＳＡ２）、電源をオフにして（ステップＳＡ３）、全ての処理を終了する。
【００４２】
これに対して、上記の経過時間が待ち時間に達する以前に（ステップＳＡ１０：ＮＯ）、操作装置２との間の通信が復帰した場合（ステップＳＡ１１：ＹＥＳ）、制御部１１は、ステップＳＡ７の処理で一旦中止していた操作検出を再開し、操作部１５による撮像装置１の本体操作を有効とする（ステップＳＡ１２）。
【００４３】
しかる後、制御部１１はステップＳＡ１の処理に戻り、操作装置２から撮影終了指示を受信するまでの間（ステップＳＡ１：ＮＯ）、ステップＳＡ４〜ステップＳＡ１２の処理を繰り返す。
【００４４】
以上説明したように撮像装置１においては、インターバル撮影を行っている間に操作装置２との間の通信が切断された際、直前の所定時間内において通信環境が安定していなかった場合、つまり通信の切断原因が通信環境の悪化に伴う一時的なものである可能性が大きいと判断できる場合には、その時点から規定の撮影継続時間については撮影動作が継続される。そして、図３（ａ）に示したように、その間に操作装置２との間の通信が復帰すれば、引き続き撮影動作が継続される。
【００４５】
したがって、ユーザーにおいては、通信環境が一時的に悪化して操作装置２との間の通信が切断された場合であっても、ユーザーが意図する撮影期間内にインターバル撮影を支障なく継続して行うことができる。
【００４６】
また、図３（ｂ）に示したように、規定の撮影継続時間が経過するまでの間に操作装置２との間の通信が復帰しない場合、つまりユーザーによる操作が不能な状態となっている蓋然性が高い場合には、撮影継続時間が経過した時点で撮影動作が自動的に終了される。
【００４７】
したがって、操作装置２との間の通信が切断された直後の一定時間については被写体の変化を確実に記録することができ、インターバル撮影を開始したユーザーの意図を尊重することができる。同時に、撮影動作が徒に継続されることによる無駄な電力消費を防止することができる。
【００４８】
以上のように、操作装置２との間の通信が切断されたときには、一定時間が経過するまでは撮影動作（インターバル撮影）が継続されることから、撮像装置１を遠隔操作する場合において最適な自動撮影をより確実に行うことができる。つまり、撮像装置１においては、無線による遠隔操作でインターバル撮影を開始した後、通信が切断された場合であっても適切な動作を行わせることができる。
【００４９】
また、操作装置２との間の通信が切断された際、直前の所定時間内において通信環境が安定していた場合、つまり通信の切断原因が通信環境の悪化に伴う一時的なものである可能性が小さいと判断できる場合には、その時点で撮影動作が自動的に終了される。
【００５０】
これにより、例えば操作装置２（ユーザー）が通信圏外へ移動してしまいユーザーによる操作が不能な状態となったような場合は、撮影動作が徒に継続されることによる無駄な電力消費を確実に防止することができる。
【００５１】
よって、操作装置２との間の通信が切断されたとき、直前の所定時間内において通信環境が安定していたことを条件として、一定時間が経過するまで撮影動作を継続することにより、無線による遠隔操作でインターバル撮影を開始した後、通信が切断された場合において、より一層適切な動作を行わせることができる。
【００５２】
また、操作装置２との間の通信が切断されたときには、撮像装置における本体操作を無効とした。したがって、例えばインターバル撮影における撮影間隔が先に一例として説明した時間（１５秒）よりも長い場合（例えば１〜５分）等において、第三者の本体操作によってユーザーの意図に反してインターバル撮影が停止されてしまうことがない。これによっても、通信が切断された場合において、より一層適切な動作を行わせることができる。
【００５３】
ここで、本実施形態においては、操作装置２との間の通信が切断された際、直前の所定時間内において通信環境が安定していなかったことを条件として、通信が切断された直後の一定時間（撮影継続時間）だけ撮影動作を継続するようにした。しかし、操作装置２との間の通信が切断された際には、無条件で一定時間（撮影継続時間）だけ撮影動作を継続するようにしてもよい。
【００５４】
その場合においても、操作装置２との間の通信が切断された直後の一定時間については被写体の変化を記録することから、インターバル撮影を開始したユーザーの意図を尊重することができる。したがって、無線による遠隔操作でインターバル撮影を開始した後、通信が切断された場合であっても適切な動作を行わせることができる。同時に、撮影動作が徒に継続されることによる無駄な電力消費を防止することができる。
【００５５】
また、ここでは、操作装置２を用いた遠隔操作で撮像装置１にインターバル撮影を行わせる場合、つまり本発明における特定の動作がインターバル撮影である場合について説明した。しかし、遠隔操作で撮像装置１に行わせる特定の動作はインターバル撮影に限らず、例えば動画撮影であっても構わない。
【００５６】
（実施形態２）
ここで、本発明の第２の実施形態について説明する。本実施形態は、遠隔操作で撮像装置１に動画撮影を行わせる場合において本発明を実施するものであり、前記撮像部１２にタイマー回路を設け、前記撮像部１２と前記無線通信部１４に、撮像装置１が動画撮影を行っている間に図４に示した以下の動作を行う構成を確保したものである。
【００５７】
すなわち図４は、撮像装置１が動画撮影を行っている間の撮像部１２と無線通信部１４との動作であって、本発明に係る部分のみを示したフローチャートである。
【００５８】
本実施形態においては、撮像装置１が動画撮影を行っている間、無線通信部１４は、操作装置２との間の通信が切断されると（ステップＳＢ１：ＹＥＳ）、撮像部１２に通信切断信号を出力する（ステップＳＢ２）。その後、無線通信部１４は、操作装置２との間の通信の復帰待ち状態となり（ステップＳＢ３）、通信が復帰すると（ステップＳＢ３：ＹＥＳ）、撮像部１２に通信復帰信号を出力する（ステップＳＢ４）。その後も、無線通信部１４は、操作装置２との間の通信が切断される毎に（ステップＳＢ１：ＹＥＳ）、前述した動作を繰り返す。
【００５９】
一方、動画撮影中において撮像部１２は、所定のフレームレートに応じたタイミングで撮像動作を行う一方、無線通信部１４から通信切断信号が入力したら（ステップＳＣ１：ＹＥＳ）、それをトリガとしてタイマー回路により経過時間のカウントを開始する（ステップＳＣ２）。そして、撮像部１２は、その経過時間が予め決められている所定の撮影継続時間に達するまでは上記の撮像動作を継続するとともに、その一方で無線通信部１４からの通信復帰信号の入力待ちとなる（ステップＳＣ３）。そして、その間に経過時間が上記撮影継続時間に達したら（ステップＳＣ４：ＹＥＳ）、その時点で上記撮影動作を停止する（ステップＳＣ５）。また、経過時間が所定の撮影継続時間に達するまでの間に（ステップＳＣ４：ＮＯ）、通信復帰信号の入力があったときには（ステップＳＣ３：ＹＥＳ）、上記の撮像動作を継続したまま再び通信復帰信号の入力待ちとなり（ステップＳＣ１）、前述した動作を繰り返す。
【００６０】
係る実施形態においては、操作装置２との間の通信が切断された直後の一定時間（撮影継続時間）については被写体の変化を記録することから、動画撮影を開始したユーザーの意図を尊重することができる。したがって、無線による遠隔操作で動画撮影を開始した後、通信が切断された場合であっても適切な動作を行わせることができる。同時に、撮影動作が徒に継続されることによる無駄な電力消費を防止することができる。
【００６１】
（他の実施形態）
次に、本発明の他の実施形態について説明する。前述した第１及び第２の実施形態においては、本発明を撮像装置に適用する場合について説明した。しかし、本発明は、外部機器を用いて無線による遠隔操作が可能な物であれば撮像装置以外の他の電子機器にも適用することができる。他の電子機器として、例えば映像や音声を再生する再生装置がある。その場合、本発明における特定の動作は継続的な動作であればよく、映像や音声の再生動作である。
【００６２】
また、本発明において外部機器と電子機器との間の無線通信方式は、外部機器によって電子機器を遠隔操作する際の使用環境（双方間の距離等）に応じた方式であれば任意の方式を採用することができる。
【００６３】
また、本発明において外部機器と電子機器との間の無線通信方式は、外部機器によって電子機器を遠隔操作する際の使用環境（双方間の距離等）に応じた方式であれば任意の方式を採用することができる。
【００６４】
また、以上の説明においては、主として操作装置等の外部機器との通信状態が接続状態から切断状態に変化した場合に、撮像装置等の電子機器におけるそれまでの特定の動作状態を一定時間が経過するまで継続させるものについて説明した。しかし、本発明の実施に際しては、操作装置等の外部機器との通信が切断状態から接続状態に変化した場合に、撮像装置等の電子機器におけるそれまでの特定の動作状態を一定時間が経過するまで継続させるようにしてもよい。
【００６５】
以上、本発明のいくつかの実施形態、及びその変形例について説明したが、これらは本発明の作用効果が得られる範囲内であれば適宜変更が可能であり、変更後の実施形態も特許請求の範囲に記載された発明、及びその発明と均等の発明の範囲に含まれる。以下に、本出願の当初の特許請求の範囲に記載された発明を付記する。
［請求項１］
外部機器から無線通信により遠隔操作される電子機器であって、
前記外部機器との通信状態が変化したか否かを確認する確認手段と、
当該電子機器が特定の動作状態にある間に前記確認手段により通信状態の変化が確認された後、当該電子機器における特定の動作状態を一定時間が経過するまで継続させる制御手段と
を備えることを特徴とする電子機器。
［請求項２］
前記一定時間が経過する前に前記確認手段が確認する以前の状態に前記通信状態が戻ったか否かを判断する判断手段を更に備え、
前記判断手段により前記確認手段が確認する以前の状態に前記通信状態が戻ったと判断されると、前記制御手段は当該電子機器を前記特定の動作状態にすることを特徴とする請求項１記載の電子機器。
［請求項３］
前記確認手段が確認する通信状態の変化は、前記外部機器と無線通信が可能な接続状態から無線通信が不能である切断状態への変化であることを特徴とする請求項１又は２記載の電子機器。
［請求項４］
前記制御手段は、前記一定時間が経過する以前に前記確認手段によって通信状態が元の状態に変化したことが確認されなかった場合、前記一定時間が経過した時点で当該電子機器の動作状態を特定の動作状態とは異なる他の状態に変更することを特徴とする請求項１乃至３の何れかに記載の電子機器。
［請求項５］
前記外部機器との間の通信環境が安定しているか否かを判断する判断手段を更に備え、
前記制御手段は、当該電子機器が特定の動作状態にある間に前記確認手段により通信状態の変化が確認された時点で、前記判断手段により無線通信が安定していないと判断されていたことを条件として、当該電子機器における特定の動作状態を一定時間が経過するまで継続させる
ことを特徴とする請求項１乃至４の何れかに記載の電子機器。
［請求項６］
当該電子機器を直接操作するための操作手段を更に備え、
前記制御手段は、当該電子機器が特定の動作状態にある間に前記確認手段により通信状態の変化が確認された後、前記操作手段による当該電子機器の操作を無効とする
ことを特徴とする請求項４又は５記載の電子機器。
［請求項７］
撮像手段を更に備え、
当該電子機器における前記特定の動作状態は、前記撮像手段を用いた自律による１又は複数回の撮影を行う自動撮影を行っている状態である
ことを特徴とする請求項１乃至６の何れかに記載の電子機器。
［請求項８］
前記自動撮影は一定の時間間隔で撮影を行うインターバル撮影であることを特徴とする請求項７記載の電子機器。
［請求項９］
外部機器から無線通信により遠隔操作される電子機器の動作制御方法であって、
前記外部機器との通信状態が変化したか否かを確認する確認処理と、
当該電子機器が特定の動作状態にある間に前記確認処理により通信状態の変化が確認された後、当該電子機器における特定の動作状態を一定時間が経過するまで継続させる制御処理と
を含むことを特徴とする動作制御方法。
［請求項１０］
外部機器から無線通信により遠隔操作される電子機器が有するコンピュータに、
前記外部機器との通信状態が変化したか否かを確認する確認機能と、
当該電子機器が特定の動作状態にある間に前記確認機能により前記通信状態の変化が確認された後、当該電子機器における特定の動作状態を一定時間が経過するまで継続させる制御機能と
を実現させることを特徴とするプログラム。
【符号の説明】
【００６６】
１    撮像装置
２    操作装置
１１    制御部
１２    撮像部
１３    記憶部
１４    無線通信部
１５    操作部
１６    電源部
１７    電波強度検出部
【図１】
0006558625.tif 000002
【図２】
0006558625.tif 000003
【図３】
0006558625.tif 000004
【図４】
0006558625.tif 000005